(57)【要約】【課題】隙間内において動かし易く且つ塵埃を吸引し易い隙間ノズルを提供する。【解決手段】先端が開放した筒状の隙間ノズル１において、先端の吸込口３が、長さ方向に突出した一対の凸部５，５と、これらの凸部５，５間に設けられた一対の凹部６，６とを有するから、吸引面たる隙間１０１の底面１０２に凸部５，５の先端が部分的に当たるため、底面１０２に沿って隙間ノズル１を移動させ易くできると共に、隙間ノズル１と吸引面１０２との角度によらず、凹部６，６から周囲の外気を吸引することができるので、吸引力を確保することができる。また、凸部５，５の縁５Ｆ，５Ｆが、これらの凸部５，５同士が重なる方向から見て円弧状に突出しているから、傾斜方向に拘わらず、底面１０２に沿ってどちらの方向に隙間ノズル１を移動させても、部分的な摩耗が少なく、また、底面１０２に対する隙間ノズル１の角度をスムーズに変えることができる。【選択図】図４
2017124129.tif 000002
【特許請求の範囲】
【請求項１】
先端が開放した筒状の隙間ノズルにおいて、
前記先端の開口部が、長さ方向に突出した一対の凸部と、これら一対の凸部間に設けられた一対の凹部とを有することを特徴とする隙間ノズル。
【請求項２】
前記一対の凸部が面対称であり、前記一対の凹部が面対称であることを特徴とする請求項１記載の隙間ノズル。
【請求項３】
前記一対の凸部の縁が、これら一対の凸部同士が重なる方向から見て、先端側に凸となる曲線状であることを特徴とする請求項１又は２記載の隙間ノズル。
【請求項４】
前記一対の凸部の縁が、これら一対の凸部同士が重なる方向から見て、円弧状に突出していることを特徴とする請求項３記載の隙間ノズル。
【発明の詳細な説明】
【技術分野】
【０００１】
本発明は、掃除機に用いる隙間ノズルに関するものである。
【背景技術】
【０００２】
従来、この種のものとして、掃除機本体と接続ホースとハンドル部と延長管と吸込ノズルを備えた電気掃除機において、付属品として隙間ノズルを備えたもの（例えば特許文献１）があり、この掃除機では、狭くて深い溝に隙間ノズルを挿入して埃を吸引することができる。
【先行技術文献】
【特許文献】
【０００３】
【特許文献１】特開２０１３−２４８０７９号公報
【発明の概要】
【発明が解決しようとする課題】
【０００４】
上記隙間ノズルは先端の吸込み口が斜め直線状に形成されているため、吸込み口を溝の底部に合わせると、吸込み口が底部により塞がれてしまい、埃をうまく吸い込むことができず、また、動かし難かった。そこで、吸込み口の基端側を底部から浮かしながら、吸込み口の先端を溝の底部に当てて移動しようとしても、基端側を浮かせ過ぎると吸引力が低下する虞があった。また、溝との角度を保ったまま、隙間ノズルを移動させることができるとは限らず、移動中に隙間ノズルの角度が変わることで、溝の中で吸引力にムラが生じてしまう虞があった。更に、移動の際に吸込み口の先端が部分的に摩耗したり、先端の摺動により溝の底部を傷付けたりすることが懸念される。
【０００５】
本発明は以上の問題点を解決し、隙間内において動かし易く且つ塵埃を吸引し易い隙間ノズルを提供することを目的とする。
【課題を解決するための手段】
【０００６】
本発明の請求項１に記載の隙間ノズルは、先端が開放した筒状の隙間ノズルにおいて、前記先端の開口部が、長さ方向に突出した一対の凸部と、これら一対の凸部間に設けられた一対の凹部とを有することを特徴とする。
【０００７】
また、本発明の請求項２に記載の隙間ノズルは、請求項１において、前記一対の凸部が面対称であり、前記一対の凹部が面対称であることを特徴とする。
【０００８】
また、本発明の請求項３に記載の隙間ノズルは、請求項１又は２において、前記一対の凸部の縁が、これら一対の凸部同士が重なる方向から見て、先端側に凸となる曲線状であることを特徴とする。
【０００９】
更に、本発明の請求項４に記載の隙間ノズルは、請求項３において、前記一対の凸部の縁が、これら一対の凸部同士が重なる方向から見て、円弧状に突出していることを特徴とする。
【発明の効果】
【００１０】
本発明の請求項１に記載の隙間ノズルは、以上のように構成することにより、隙間の底部などの吸引面に凸部の先端が部分的に当たるため、隙間ノズルと吸引面との角度によらず、凹部から周囲の外気を吸引することができるので、吸引力を確保することができると共に、吸引面に沿っての移動がし易くなる。
【００１１】
また、凸部及び凹部を面対称とすることにより、吸引面の長さ方向に隙間ノズルを移動させた際に、吸引面に対する隙間ノズルの傾斜が逆になったとしても、傾斜角度の絶対値が同じであれば、外気の隙間ノズルへの流入面積が変わらないので、吸引面の塵埃を良好に吸引することができるばかりでなく、両方向に隙間ノズルを移動させ易くなる。
【００１２】
また、凸部の縁が凸曲線状であるから、吸引面に沿って隙間ノズルを移動させた際、部分的な摩耗が少なくなり、また、吸引面に対する隙間ノズルの向きをスムーズに変えることができる。
【００１３】
更に、一対の凸部の縁が円弧状に突出しているから、左右の向きに拘わらず、吸引面に沿って隙間ノズルをどちらの方向に移動させても、部分的な摩耗が少なくなり、また、吸引面に対する隙間ノズルの角度をスムーズに変えることができるばかりでなく、隙間ノズルの傾斜を変化させる過程における外気の吸込口への流入面積が殆ど変わらないので、吸引面の塵埃を良好に吸引することができる。
【図面の簡単な説明】
【００１４】
【図１】本発明の実施例１を示す側面図である。
【図２】同、正面図である。
【図３】同、先端側を拡大した正面図である。
【図４】同、斜視図である。
【図５】同、使用状態を説明する側面図である。
【図６】本発明の実施例２を示す先端側を拡大した正面図である。
【図７】本発明の実施例３を示す先端側を拡大した側面図である。
【図８】本発明の実施例４を示す先端側を拡大した側面図である。
【図９】本発明の実施例５を示す先端側を拡大した側面図である。
【発明を実施するための形態】
【００１５】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
以下、本発明の実施例１について、図１〜図５に基づいて説明する。１は本発明の隙間ノズルである。この隙間ノズル１は、合成樹脂製であって、円筒形のノズル本体２を備え、このノズル本体２の先端に開口部たる吸込口３が設けられて先端が開放され、また、ノズル本体２の基端が開放されている。
【００１７】
前記ノズル本体２の先端の吸込口３は、該ノズル本体２の長さ方向に突出した一対の凸部５，５と、これら一対の凸部５，５間に設けられた一対の凹部６，６とを有する。換言すれば、一対の凹部６，６の間に、一対の凸部５，５が設けられている。
【００１８】
一対の凸部５，５は同一形状をなすと共に、一対の凹部６，６は同一形状をなす。そして、一対の凸部５，５の縁５Ｆ，５Ｆは、ノズル本体２の中心軸Ｚを含む第１の面に対して面対称であると共に、一対の凹部６，６の縁６Ｆ，６Ｆは、前記中心軸Ｚを含む第２の面に対して面対称である。これは、一対の凸部５，５の縁５Ｆ，５Ｆが、ノズル本体２の中心軸Ｚを含む第２の面に対して面対称であると共に、一対の凹部６，６の縁６Ｆ，６Ｆが、前記中心軸Ｚを含む第１の面に対して面対称であることも意味する。なお、第１の面は前後方向に定義される仮想面であり、図２の視線方向に延びるものである。また、第２の面は左右方向に定義される仮想面であり、図１の視線方向に延びるものである。即ち、第１の面と第２の面は直交している。
【００１９】
そして、図１に示すように、一対の凸部５，５同士が重ね合わさる方向から見て、一対の凸部５，５の縁５Ｆ，５Ｆは、円弧状に突出している。このように、一対の凸部５，５の縁５Ｆ，５Ｆは、一対の凸部５，５同士が重ね合わさる方向から見て、先端側に凸となる曲線状に形成されている。尚、この例では、縁５Ｆ，５Ｆは半円状に形成されている。
【００２０】
また、前記ノズル本体２の凹部６，６の左右方向中央には、空気導入口たる一対の切欠き部７，７が形成されている。この例では、切欠き部７，７はノズル本体２の長さ方向に長く形成されている。尚、切欠き部７，７は一対の凹部６，６に連続してそれぞれ形成されているが、切欠き部７，７は凹部６，６を構成するものではない。従って、例えば、一対の凹部６，６は面対称であるが、一対の切欠き部７，７は面対称でなくてもよい。尚、前記一対の凸部５，５同士が重ね合わさる方向は、ノズル本体２の中心軸Ｚを含む第１の面と直交する。
【００２１】
前記ノズル本体２は延長管１１の先端に接続され、この延長管１１の基端が掃除機の吸込口（図示せず）に着脱可能に接続される。また、前記延長管１１は、先端部１２と基端部１３とを備える。そして、先端部１２の先端に回動連結部１４が設けられ、この回動連結部１４により前記ノズル本体２がその中心軸Ｚを中心に回動可能に設けられている。更に、延長管１１の先端部１２と基端部１３との間に回動部１５が設けられ、この回動部１５に設けられた直径方向の連結軸１６を中心に基端部１３に対して先端部１２が角度回動し、基端部１３に対する先端部１２の向きを変えることができる。
【００２２】
前記延長管１１の基端には接続部１７が設けられ、この接続部１７に屈曲自在なホース（図示せず）が接続され、このホースを掃除機の吸込口（図示せず）に挿脱することにより、隙間ノズル１及び延長管１１が掃除機の吸込口に着脱可能に接続される。
【００２３】
次に、本実施例の作用について説明する。掃除機の吸込口にホースを介して延長管１１と隙間ノズル１を接続し、掃除機のスイッチをオンにし、隙間ノズル１の吸込口３から吸引を行う。その隙間ノズル１の先端を隙間１０１に挿入し、隙間１０１の吸引面たる底面１０２に隙間ノズル１の先端を当てる。こうすると、隙間ノズル１の先端が部分的に底面１０２に当接し、両側の凹部６，６が底面１０２により塞がれないため、底面１０２に溜まった埃を外気と共に良好に吸引することができる。更に、隙間ノズル１を移動させる際も、その先端のみが部分的に底面１０２に摺接し、しかも、先端の縁５Ｆが円弧状をなすから、底面１０２と隙間ノズル１のなす角度によらず、底面１０２と隙間ノズル１の先端の接触面積を小さくすることができるので、底面１０２に先端を当てた状態で、スムーズに隙間ノズル１を移動させることができる。更に、図５に示すように、ノズル本体２の基端側が中心側となるように揺動させて、底面１０２に対する隙間ノズル１の傾斜が逆になったとしても、隙間ノズル１の傾斜角度の絶対値が同じであれば、外気の隙間ノズル１の吸込口３への流入面積が変わらない。そして、隙間ノズル１の傾斜を変化させる過程における外気の吸込口３への流入面積が殆ど変わらないので、底面１０２の塵埃を良好に吸引することができる。
【００２４】
また、図５に示すように、先端の縁５Ｆが凸曲線状のため、隙間ノズル１の傾きを良好に変えることができる。即ち、隙間１０１内で隙間ノズル１を移動させる際に、隙間ノズル１の傾きが変わっても、隙間ノズル１の先端の縁５Ｆと底面１０２との接点が移動することになるので、隙間ノズル１の先端が部分的に摩耗するようなことが起こりにくい。更に、隙間ノズル１の凸部５の縁５Ｆが円弧状の場合、吸引面である底面１０２の長さ方向への移動において、両方向に円滑に移動させることができる。
【００２５】
更に、吸込口３に紙などが吸引されて塞がれても、切欠き部７，７から外気を吸引し続けることができるため、掃除機のモータなどに過大な負荷が加わることがなく、また、掃除機を止めなくても、吸込口３から紙などを取り外すことができる。
【００２６】
以上のように本実施例では、先端が開放した筒状の隙間ノズル１において、先端の開口部たる吸込口３が、長さ方向に突出した一対の凸部５，５と、これら一対の凸部５，５間に設けられた一対の凹部６，６とを有することで、隙間１０１の吸引面たる底面１０２に凸部５，５の先端が部分的に当たるため、隙間ノズル１と吸引面との角度によらず、凹部６，６から周囲の外気を吸引することができるので、吸引力を確保することができると共に、底面１０２に沿っての移動がし易くなる。
【００２７】
また、一対の凸部５，５が面対称であり、一対の凹部６，６が面対称であるから、吸引面たる底面１０２の長さ方向に隙間ノズル１を移動させた際に、底面１０２に対する隙間ノズル１の傾斜が逆になったとしても、外気の隙間ノズル１への流入面積が変わらないので、底面１０２の塵埃を良好に吸引することができるばかりでなく、両方向に隙間ノズル１を移動させ易くなる。
【００２８】
また、一対の凸部５，５の縁５Ｆ，５Ｆが、これら一対の凸部５，５同士が重なる方向から見て先端側に凸となる曲線状であるから、吸引面たる底面１０２に沿って隙間ノズルを移動させた際、部分的な摩耗が少なくなり、また、底面１０２に対する隙間ノズル１の向きをスムーズに変えることができる。
【００２９】
更に、一対の凸部５，５の縁５Ｆ，５Ｆが、これら一対の凸部５，５同士が重なる方向から見て円弧状に突出しているから、左右の向きに拘わらず、吸引面たる底面１０２に沿って隙間ノズルをどちらの方向に移動させても、部分的な摩耗が少なくなり、また、底面１０２に対する隙間ノズル１の角度をスムーズに変えることができる。
【００３０】
以下、実施例上の効果として、一対の凸部５，５同士が重ね合わさる方向から見て、先端の縁５Ｆ，５Ｆが半円状となるように形成したから、１８０度（直立状態から左右に９０度）近くの広い角度範囲で、凸部５，５が底面１０２と接するので、あらゆる傾斜角度で隙間１０１内の塵埃を良好に吸引することができると共に、凸部５，５の部分的な摩耗が少なくなり、また、隙間ノズル１の向きをスムーズに変えることができる。更に、ノズル本体２の基端側の左右方向中央には、空気導入口たる切欠き部７，７が形成されているから、吸込口３に紙などが吸引されて塞がれても、切欠き部７，７から外気を吸引し続けることができるため、掃除機のモータなどに過大な負荷が加わることがない。また、回動連結部１４によりノズル本体２がその中心軸Ｚを中心に回動可能に設けられるから、ノズル本体２の中心軸Ｚに対する向きを調整することができる。更に、一対の凸部５，５の縁５Ｆ，５Ｆは中心軸Ｚに直交する直径方向の軸を中心に半円状に形成されているから、ノズル本体２の内外面において縁Ｆの面が同一形状の半円状となる。
【実施例２】
【００３１】
図６は本発明の実施例２を示し、上記実施例１と同一部分に同一符号を付し、その説明を省略して詳述する。同図は空気導入口の変形例を示す。実施例２では、凹部６，６から離れた位置で、前記ノズル本体２には、空気導入口たる透孔２１が形成されている。この例では、一対の凹部６，６の底部位置から離れたノズル本体２の基端側に、円形の透孔２１が穿設されている。
【００３２】
以上のように本実施例では、吸込口３に紙などが吸引されて塞がれても、透孔２１から外気を吸引し続けることができるため、掃除機のモータなどに過大な負荷が加わることがなく、掃除機を止めなくても、紙などを取り外すことができる。このように、本実施例でも、上記実施例と同様な作用・効果を奏する。
【００３３】
また、本実施例では、凹部６，６から離れた位置に空気導入口たる透孔２１が形成されているため、吸込口３が塞がれても、透孔２１が塞がれ難く、透孔２１からの吸引を確保することができる。
【実施例３】
【００３４】
図７は本発明の実施例３を示し、上記各実施例と同一部分に同一符号を付し、その説明を省略して詳述する。同図は吸込口３の変形例を示す。実施例３では、一対の凸部５，５の縁５Ｆ，５Ｆは、二等辺三角形の一対の斜辺部２２，２２の先端を円弧部２３により連結した形状をなす。一対の斜辺部２２，２２のなす角度θは鋭角であり、図中では６０度である。そして、一対の凸部５，５は同一形状をなすと共に、一対の凹部６，６は同一形状をなす。そして、一対の凸部５，５がノズル本体２の中心軸Ｚを含む前記第１の面に対して面対称であると共に、一対の凹部６，６が中心軸Ｚを含む前記第２の面に対して面対称である。なお、第１の面と第２の面の定義は、実施例１で述べたとおりである。即ち、前記第１の面と第２の面は直交している。
【００３５】
以上のように本実施例では、先端に円弧部２３を設けることにより、一対の凸部５，５の縁５Ｆ，５Ｆが、これら一対の凸部５，５同士が重なる方向から見て、先端側に凸となる曲線状であるから、請求項１〜３に対応して、上記各実施例と同様な作用・効果を奏する。
【実施例４】
【００３６】
図８は本発明の実施例４を示し、上記各実施例と同一部分に同一符号を付し、その説明を省略して詳述する。同図は吸込口３の変形例を示す。実施例４では、一対の凸部５，５の縁５Ｆ，５Ｆは、その先端２５が左右方向一側に偏心し、先端２５から左右方向一側の一側曲線部２６と、左右方向他側の他側曲線部２７とを有する。そして、一対の凸部５，５は同一形状をなすと共に、対の凸部５，５がノズル本体２の中心軸Ｚを含む前記第１の面に対して面対称であり、一側曲線部２６側の凹部６Ａと他側曲線部２７側の凹部６Ｂは異なる形状をなす。なお、第１の面の定義は、実施例１で述べたとおりである。
【００３７】
以上のように、凸部５，５の縁５Ｆ，５Ｆは、他側曲線部２７の曲率を大きくしたから、ノズル本体２を他側曲線部２７側に倒すようにして使用する場合に適したものとなる。従って、回動連結部１４によってノズル本体２を中心軸Ｚ回りに回動させて、ノズル本体２を倒す側が他側曲線部２７となるようにすれば、使い勝手が良い。
【００３８】
このように、本実施例では、一対の凸部５，５の縁５Ｆ，５Ｆが、これら一対の凸部５，５同士が重なる方向から見て、先端側に凸となる曲線状であるから、請求項１〜３に対応して、上記各実施例と同様な作用・効果を奏する。
【実施例５】
【００３９】
図９は本発明の実施例５を示し、上記各実施例と同一部分に同一符号を付し、その説明を省略して詳述する。同図は吸込口３の変形例を示す。実施例５では、一対の凸部５，５の縁５Ｆ，５Ｆは、略等脚台形状をなし、一対の斜辺部３１，３１と、これらの斜辺部３１，３１の先端を連結する上辺部３２とを有する。尚、前記斜辺部３１と上辺部３２とを湾曲部により連結してもよい。
【００４０】
そして、一対の凸部５，５は同一形状をなすと共に、一対の凹部６，６は同一形状をなす。また、一対の凸部５，５は、ノズル本体２の中心軸Ｚを含む前記第１の面に対して面対称であると共に、一対の凹部６，６は、中心軸Ｚを含む前記第２の面に対して面対称である。これは、一対の凸部５，５の縁５Ｆ，５Ｆが、ノズル本体２の中心軸Ｚを含む第２の面に対して面対称であると共に、一対の凹部６，６の縁６Ｆ，６Ｆが、前記中心軸Ｚを含む第１の面に対して面対称であることも意味する。なお、第１の面と第２の面の定義は、実施例１で述べたとおりである。即ち、第１の面と第２の面は直交している。
【００４１】
このように本実施例では、一対の凸部５，５が面対称であり、一対の凹部６，６が面対称であるから、請求項１及び２に対応して、上記各実施例と同様な作用・効果を奏する。
【００４２】
なお、本発明は以上の実施例に限定されるものではなく、発明の要旨の範囲内で種々の変形実施が可能である。例えば、凸部の形状は上記実施例に限定されず、各種形状のものを用いることができる。また、実施例３〜５のものに、実施例１の切欠き部又は実施例２の透孔を設けてもよい。
【符号の説明】
【００４３】
１  隙間ノズル
２  ノズル本体
３  吸込口（開口部）
５  凸部
６  凹部
１０１  隙間
１０２  底面（吸引面）
【図１】
2017124129.tif 000003
【図２】
2017124129.tif 000004
【図３】
2017124129.tif 000005
【図４】
2017124129.tif 000006
【図５】
2017124129.tif 000007
【図６】
2017124129.tif 000008
【図７】
2017124129.tif 000009
【図８】
2017124129.tif 000010
【図９】
2017124129.tif 000011